(57)【特許請求の範囲】
【請求項１】
人が所持するＲＦＩＤタグと、該ＲＦＩＤタグと通信を行い、前記ＲＦＩＤタグを検知する際に、前記ＲＦＩＤタグに記憶させた状態情報に基づいて進入か退出かの区別を判断し、又は進入か退出かを指定されることで進入か退出かの区別を判断することにより入退管理を行う複数の端末装置とを備えた入退管理システムにおいて、
前記ＲＦＩＤタグは、
当該ＲＦＩＤタグの識別情報と、前記複数の端末装置の中のホーム端末装置を示す情報とを記憶し、
前記複数の端末装置のそれぞれは、
前記ＲＦＩＤタグから前記識別情報と前記ホーム端末装置を示す情報とを読み取る読取部と、
少なくとも前記識別情報と進入／退出に係る情報とを入退情報として記憶する記憶部と、
前記読取部が読み取った前記ホーム端末装置を示す情報が自端末装置を示すものでなかった場合に、前記入退情報を前記ホーム端末装置に送信する送信部とを備える
ことを特徴とする入退管理システム。
【請求項２】
前記端末装置は、前記ホーム端末装置として他の端末装置から前記ＲＦＩＤタグの前記入退情報の退出に係る情報を受信すると、前記送信部は、当該ＲＦＩＤタグの進入を検知した端末装置と退出を検知した端末装置とが異なっている場合には、前記進入を検知した端末装置に当該ＲＦＩＤタグの前記入退情報の退出に係る情報を送信する
ことを特徴とする請求項１に記載の入退管理システム。
【請求項３】
人が所持するＲＦＩＤタグと、該ＲＦＩＤタグと通信を行い、前記ＲＦＩＤタグを検知する際に、前記ＲＦＩＤタグに記憶させた状態情報に基づいて進入か退出かの区別を判断し、又は進入か退出かを指定されることで進入か退出かの区別を判断することにより入退管理を行う複数の端末装置を備えた入退管理システムの前記端末装置であって、
前記ＲＦＩＤタグから当該ＲＦＩＤタグの識別情報と前記複数の端末装置の中のホーム端末装置を示す情報とを読み取る読取部と、
少なくとも前記識別情報と進入／退出に係る情報とを入退情報として記憶する記憶部と、
前記読取部が読み取った前記ホーム端末装置を示す情報が自端末装置を示すものでなかった場合に、前記入退情報を前記ホーム端末装置に送信する送信部とを備える
ことを特徴とする入退管理システムの端末装置。
【請求項４】
前記ホーム端末装置として他の端末装置から前記ＲＦＩＤタグの前記入退情報の退出に係る情報を受信すると、前記送信部は、当該ＲＦＩＤタグの進入を検知した端末装置と退出を検知した端末装置とが異なっている場合には、前記進入を検知した端末装置に当該ＲＦＩＤタグの前記入退情報の退出に係る情報を送信する
ことを特徴とする請求項３に記載の入退管理システムの端末装置。
【発明の詳細な説明】
【技術分野】
【０００１】
本発明は、所定エリアへの人などの移動体の入退管理を行う入退管理システム及び端末装置に関する。
【背景技術】
【０００２】
所定のエリアへの人などの移動体の入退を管理するものとして、例えば、災害現場の入退管理がある。地下鉄等の災害現場では、各出入り口に、警察官、消防隊員、自衛隊員等の進入を管理するための進入管理部隊を配置している。
従来は、このような進入管理部隊は、紙に進入する隊員の所属氏名を記入させて、進入する部隊の隊員の進入／退出（入退）を管理していた。
ここで、例えば、火事で同じ出入り口から出られない場合や、患者を早く搬送する場合等の状況により、各部隊の隊員は、進入した出入り口とは別の場所から退出することがある。このとき、隊員が進入した進入管理部隊では、当該隊員が退出したことが分からないという問題があった。
そこで、各進入管理部隊に、進入／退出の記録を行う端末を持たせ、記録した進入／退出に係る情報をネットワーク経由で共有することにより、進入／退出を統合管理する入退管理システムが存在する。
特許文献１を参照すると、このような、ネットワーク経由で進入／退出のデータを共有する従来の入退管理システムが記載されている（以下、従来技術１とする。）。
【先行技術文献】
【特許文献】
【０００３】
【特許文献１】特開２００８−７０９６７号公報
【発明の概要】
【発明が解決しようとする課題】
【０００４】
しかしながら、従来技術１のような従来の入退管理システムでは、進入／退出の情報の共有には、端末以外にサーバを準備する必要があった。
このため、災害現場等で緊急にネットワークを構築してサーバと接続しなければならないため、手間とコストがかかるという問題があった。
【０００５】
本発明は、このような状況に鑑みてなされたものであり、上述の課題を解消することを課題とする。
【課題を解決するための手段】
【０００６】
本発明の入退管理システムは、人が所持するＲＦＩＤタグと、該ＲＦＩＤタグと通信を行い、前記ＲＦＩＤタグを検知する際に、前記ＲＦＩＤタグに記憶させた状態情報に基づいて進入か退出かの区別を判断し、又は進入か退出かを指定されることで進入か退出かの区別を判断することにより入退管理を行う複数の端末装置とを備えた入退管理システムにおいて、前記ＲＦＩＤタグは、当該ＲＦＩＤタグの識別情報と、前記複数の端末装置の中のホーム端末装置を示す情報とを記憶し、前記複数の端末装置のそれぞれは、前記ＲＦＩＤタグから前記識別情報と前記ホーム端末装置を示す情報とを読み取る読取部と、少なくとも前記識別情報と進入／退出に係る情報とを入退情報として記憶する記憶部と、前記読取部が読み取った前記ホーム端末装置を示す情報が自端末装置を示すものでなかった場合に、前記入退情報を前記ホーム端末装置に送信する送信部とを備えることを特徴とする。
本発明の入退管理システムは、前記端末装置は、前記ホーム端末装置として他の端末装置から前記ＲＦＩＤタグの前記入退情報の退出に係る情報を受信すると、前記送信部は、当該ＲＦＩＤタグの進入を検知した端末装置と退出を検知した端末装置とが異なっている場合には、前記進入を検知した端末装置に当該ＲＦＩＤタグの前記入退情報の退出に係る情報を送信することを特徴とする。
本発明の入退管理システムの端末装置は、人が所持するＲＦＩＤタグと、該ＲＦＩＤタグと通信を行い、前記ＲＦＩＤタグを検知する際に、前記ＲＦＩＤタグに記憶させた状態情報に基づいて進入か退出かの区別を判断し、又は進入か退出かを指定されることで進入か退出かの区別を判断することにより入退管理を行う複数の端末装置を備えた入退管理システムの前記端末装置であって、前記ＲＦＩＤタグから当該ＲＦＩＤタグの識別情報と前記複数の端末装置の中のホーム端末装置を示す情報とを読み取る読取部と、少なくとも前記識別情報と進入／退出に係る情報とを入退情報として記憶する記憶部と、前記読取部が読み取った前記ホーム端末装置を示す情報が自端末装置を示すものでなかった場合に、前記入退情報を前記ホーム端末装置に送信する送信部とを備えることを特徴とする。
本発明の入退管理システムの端末装置は、前記ホーム端末装置として他の端末装置から前記ＲＦＩＤタグの前記入退情報の退出に係る情報を受信すると、前記送信部は、当該ＲＦＩＤタグの進入を検知した端末装置と退出を検知した端末装置とが異なっている場合には、前記進入を検知した端末装置に当該ＲＦＩＤタグの前記入退情報の退出に係る情報を送信することを特徴とする。
【発明の効果】
【０００７】
本発明によれば、ＲＦＩＤタグがホーム端末装置を示す情報を記憶し、端末装置が当該ＲＦＩＤタグに係る入退情報をホーム端末装置に転送することで、別途、サーバを必要としない入退管理システムを提供することができる。
【図面の簡単な説明】
【０００８】
【図１】本発明の第１の実施の形態に係る入退管理システムＸのシステム構成を示す概念図である。
【図２】本発明の第１の実施の形態に係る端末１０−１の制御構成を示すブロック図である。
【図３】本発明の第１の実施の形態に係るＩＣタグ２０−１の制御構成を示すブロック図である。
【図４】本発明の第１の実施の形態に係る端末１０による入退管理処理のフローチャートである。
【図５】本発明の第１の実施の形態に係る隊員登録処理の概念図である。
【図６】本発明の第１の実施の形態に係る入退チェック処理の概念図である。
【図７】本発明の第１の実施の形態に係るホーム端末転送処理（退出／他端末）の概念図である。
【図８】本発明の第１の実施の形態に係るホーム端末転送処理（進入／他端末）の概念図である。
【図９】本発明の第１の実施の形態に係るホーム端末転送処理（進入／他端末、退出／他端末）及び進入場所端末転送処理（転送／自端末から他端末）の概念図である。
【図１０】本発明の第１の実施の形態に係るホーム端末転送処理（進入／他端末）の概念図である。
【図１１】本発明の第１の実施の形態に係る進入場所端末転送処理（進入／他端末、退出／自端末）の概念図である。
【図１２】本発明の第１の実施の形態に係る端末１０−１に入退情報１１５を表示した際の画面例である。
【図１３】本発明の第１の実施の形態に係る端末１０−１に隊員情報２１８の一覧を表示した際の画面例である。
【図１４】本発明の第２の実施の形態に係る端末１１−１の制御構成を示すブロック図である。
【図１５】本発明の第２の実施の形態に係るＩＣタグ２１−１の制御構成を示すブロック図である。
【図１６】本発明の第２の実施の形態に係る端末１１による入退管理処理のフローチャートである。
【図１７】本発明の第２の実施の形態に係る隊員登録処理の概念図である。
【図１８】本発明の第２の実施の形態に係る入退チェック処理の概念図である。
【図１９】本発明の第２の実施の形態に係るホーム端末転送処理（退出／他端末）の概念図である。
【図２０】本発明の第２の実施の形態に係るホーム端末転送処理（進入／他端末）の概念図である。
【図２１】本発明の第２の実施の形態に係るホーム端末転送処理（進入／他端末、退出／他端末）及び進入場所端末転送処理（転送／自端末から他端末）の概念図である。
【図２２】本発明の第２の実施の形態に係るホーム端末転送処理（進入／他端末）の送信に失敗た場合の概念図である。
【図２３】本発明の第２の実施の形態に係る進入場所端末転送処理（進入／他端末の送信失敗、退出／自端末）の概念図である。
【図２４】本発明の第２の実施の形態に係るログ送受信／ソート処理の概念図である。
【発明を実施するための形態】
【０００９】
＜第１の実施の形態＞
〔入退管理システムＸの制御構成〕
まず、図１を参照して、本発明の第１の実施の形態に係るに入退管理システムＸの構成例について説明する。
入退管理システムＸは、主にＩＣタグ２０−１〜２０−ｎ（図１にはＩＣタグ２０−１のみ表示する。）を読み込み／書き込み可能な端末（端末装置）１０−１〜１０−ｍ（図１には端末１０−１、１０−２のみ表示する。）同士が、ネットワーク５を介して接続されている。
【００１０】
ネットワーク５は、例えば、公衆ネットワーク、又は設置された自営ネットワークを用いることができる。
ネットワーク５は、公衆ネットワークとしては、携帯電話網、ＰＨＳ網、衛星通信ネットワーク、公衆無線ネットワーク等を用いることができる。また、ネットワーク５は、自営ネットワークとしては、自営のＷｉＦｉ網等のＩＰネットワーク、ＳｉｎＬｉｎｋ、ＺｉｇＢｅｅ、消防無線、災害用無線ネットワーク等を用いることができる。
また、ネットワーク５は、サーバなしで端末１０−１〜１０−ｍ同士が接続できる、アドホックネットワークとして機能させてもよい。この際、ネットワーク５は、公衆ネットワークにつながらない場合に、端末１０−１〜１０−ｍ同士で自営ネットワークを用いるか、アドホック（Ａｄ  ｈｏｃ）ネットワークを構成することができる。
また、ネットワーク５は、ハブ、ルータ、ＰＣ（Ｐｅｒｓｏｎａｌ  Ｃｏｍｐｕｔｅｒ）、スマートフォン、タブレット、ノート等の接続先機器と接続することができる。
なお、ネットワーク５は、ルータ等を用いてインターネットや他のネットワークと接続することもでき、図示しないサーバと接続することもできる。
【００１１】
端末１０−１〜１０−ｍ（以下、端末１０−１〜１０−ｍを区別しない場合には、単に端末１０ともいう。）は、ＰＤＡ（Ｐｅｒｓｏｎａｌ  Ｄｉｇｉｔａｌ  Ａｓｓｉｓｔａｎｔ）、スマートフォン、タブレット型やノート型のＰＣ等を用いた隊員の入退管理を行うための端末装置である。端末１０−１〜１０−ｍは、隊員の進入／退出の拠点となる出入り口に設置され、ＩＣタグ２０−１〜２０−ｎ（以下、ＩＣタグ２０−１〜２０−ｎを区別しない場合には、単にＩＣタグ２０ともいう。）を読み込み／書き込むことで、隊員の出入り口での進入／退出を管理する。
また、端末１０−１〜１０−ｍは、ネットワーク５に接続して、他の端末１０−１〜１０−ｍに対して入退情報１１５を送受信できる。ここで、回線状態が悪い災害現場等においては、端末１０−１〜１０−ｍが孤立する可能性がある。このため、端末１０−１〜１０−ｍは、単独でも入退管理を行うことができ、ネットワーク５が回復した時点で入退情報１１５を送受信できる。
以下、該当するＩＣタグ２０−１〜２０−ｎの入退管理を主に行う端末１０−１〜１０−ｍを「ホーム端末」（ホーム端末装置）という。具体例としては、ＩＣタグ２０を所持する隊員が所属するグループ毎に端末１０が割り当てられている場合には、隊員が所属するグループに対応する端末１０がホーム端末となる。また、進入を検知した端末１０を「進入端末」、退出を検知した端末１０を「退出端末」という。
【００１２】
ＩＣタグ２０−１〜２０−ｎは、入退管理システムＸの各隊員が所持するＲＦＩＤ（Ｒａｄｉｏ  Ｆｒｅｑｕｅｎｃｙ  ＩＤｅｎｔｉｆｉｃａｔｉｏｎ）タグ等である。
ＩＣタグ２０−１〜２０−ｎは、災害等の現場で作戦に参加する隊員個別に配布し、隊員を識別するために使用する。このため、ＩＣタグ２０−１〜２０−ｎは、災害現場での救助等の「作戦」前に隊員情報２１８（図３）を書き込んでおくことができる。また、ＩＣタグ２０−１〜２０−ｎは、作戦参加時又は事前に、ホーム端末情報１１６（図２）を書き込む隊員登録処理（図４）を行う。この上で、隊員の進入・退出時において、端末１０−１〜１０−ｍが、ＩＣタグ２０−１〜２０−ｎの上述のデータを読み取って入退管理を行う。
また、ＩＣタグ２０−１〜２０−ｎは、画像を撮像し、音声を記憶し、熱や温度といった各種センサのデータ等を取得して記憶する機能部位を備えることもできる。
【００１３】
具体的な入退管理システムＸの運用としては、入退管理を行う進入管理領域にある、隊員が進入／退出する各出入口に、進入管理隊を配置する。そして、それぞれの入退管理隊に、入退管理用の端末１０−１〜１０−ｍを所持させる。図１は、入退管理隊ＡとＢが、それぞれ端末１０−１と端末１０−２とを所持する例を示している。
また、進入する部隊の各隊員は、ＩＣタグ２０−１〜２０−ｎを所持する。図１では、隊員Ｎｏ．１がＩＣタグ２０−１を所持する例を示している。
進入／退出時に、ＩＣタグ２０−１〜２０−ｎの入退管理を行う端末１０−１〜１０−ｍへ読ませることにより、当該隊員の入退を記録することができる。
この上で、入退管理システムＸは、ネットワーク５経由で、入退情報１１５を共有することができる。
【００１４】
なお、災害等の作戦本部で全体の進入管理を行う場合は、作戦本部に管理用のサーバとして機能する装置（図示せず）を設置してもよい。また、当該災害等の現場に上位端末（図示せず）を設置して、管理用のサーバと接続することも可能である。
これにより、端末１０−１〜１０−ｍで発生した入退情報１１５を、全てサーバや上位端末へ転送することにより、隊員の進入／退出の集中管理が可能となる。
このサーバや上位端末への転送は、ネットワーク５の状態により、帯域が空いているか否かを検知して行うことができる。
【００１５】
〔端末１０−１の構成〕
次に、図２を参照して、同様の構成を備える端末１０−１〜１０−ｍの制御構成について詳しく説明する。ここでは、端末１０−１を代表例として説明する。
端末１０−１は、機能部位として、制御部１００（制御手段）、記憶部１１０（記憶手段）、無線送受信部１２０（無線送受信手段、ネットワーク送受信手段）、入力部１３０（入力手段）、ＲＦＩＤ送受信部１４０（ＲＦＩＤ送受信手段、読取部、書込部）、表示部１５０（表示手段）、及び音声入出力部１６０（音声入出力手段）を主に備えている。それぞれの部位は、例えば共通のバス等で接続される。
【００１６】
制御部１００は、ＧＰＰ（Ｇｅｎｅｒａｌ  Ｐｕｒｐｏｓｅ  Ｐｒｏｃｅｓｓｏｒ）であるＣＰＵ（Ｃｅｎｔｒａｌ  Ｐｒｏｃｅｓｓｉｎｇ  Ｕｎｉｔ）、ＭＰＵ（Ｍｉｃｒｏ  Ｐｒｏｃｅｓｓｉｎｇ  Ｕｎｉｔ）、ＤＳＰ（Ｄｉｇｉｔａｌ  Ｓｉｇｎａｌ  Ｐｒｏｃｅｓｓｏｒ）等の制御演算部位である。
制御部１００は、各部を制御し、内蔵のＲＡＭ、フラッシュメモリ等の不揮発性記録媒体、又は外付けの記録媒体等である記憶部１１０に記憶された各種プログラムを実行し、データを読み出し／書き込みして、入退管理を行う。
また、制御部１００は、ネットワーク５を介して、他の端末１０−１〜１０−ｍから各種情報を送受信する指示を行うこともできる。
【００１７】
ここで、制御部１００は、入退管理部１０１（入退管理手段）、隊員情報管理部１０２（隊員情報管理手段）、参加隊員登録部１０３（参加隊員登録手段）、入退情報転送部１０４（入退情報登録手段、入退情報転送手段、送信部）を含んでいる。
これらの機能部は、制御部１００又は記憶部１１０に記憶されたプログラムを実行することにより実現される。
【００１８】
入退管理部１０１は、端末１０−１〜１０−ｍにより制御部１００が実行するアプリケーション・ソフトウェアであり、入退管理のためのメイン・プログラムの部位である。
入退管理部１０１は、隊員の入退の際に、ＩＣタグ２０−１〜２０−ｎを読み取って、入退情報１１５に記憶する。この上で、入退管理部１０１は、必要があれば、入退情報転送部１０４を呼び出して、入退情報１１５の進入や退出に係る情報の転送を行うよう指示する。
また、入退管理部１０１は、入力部１３０の進入管理隊のユーザの指示に従って、隊員情報管理部１０２、参加隊員登録部１０３等の機能を、ＧＵＩ（Ｇｒａｐｈｉｃａｌ  Ｕｓｅｒ  Ｉｎｔｅｒｆａｃｅ）のメニュー等から呼び出すことができる。この際、入退管理部１０１は、登録された隊員情報２１８や、登録されたり他の端末１０−１〜１０−ｍから転送されたりした入退情報１１５等を、表示部１５０に表示することができる。
【００１９】
なお、入退管理部１０１は、グループ管理手段として、当該現場に参加している端末１０−１〜１０−ｍ／参加していない端末１０−１〜１０−ｍの判別を行うことができる。さらに、入退管理部１０１は、グループ管理手段として、端末１０−１〜１０−ｍのいくつかでグループを形成したり、データ送受信の優先順位を決定することができる。すなわち、入退管理部１０１は、主に入退管理を行う「マスター」の端末と、配下の端末を設定可能である。その後、入退管理部１０１は、優先順位が上位／下位の端末１０−１〜１０−ｍの検索／選択を行うこともできる。また入退管理部１０１は、作戦本部のサーバや、現場に設置された上位端末等についても設定できる。
また、入退管理部１０１は、端末間データ同期手段として、リアルタイム（実時間）にて、ユーザの指示に従って、各種の情報をグループや全端末へ送信したり、上位端末やサーバに送信したりすることができる。
加えて、入退管理部１０１は、状況表示手段として、表示部１５０に現場の地図等を描画して、リアルタイムに入退の状況表示を行い、未更新データの有無等も示すことができる。
さらに、入退管理部１０１は、省電力化手段として、端末１０−１〜１０−ｍの表示部１５０への表示を制御したり、無線送受信部１２０やＲＦＩＤ送受信部１４０による無線通信制御の最適化を行う。
【００２０】
隊員情報管理部１０２は、隊員が所持するＩＣタグ２０−１〜２０−ｎに、隊員情報２１８を書き込む部位である。
隊員情報管理部１０２は、進入管理隊のユーザ又はＩＣタグ２０−１〜２０−ｎを所持する隊員の指示を入力部１３０を用いて検知し、隊員情報２１８自体を作成して、記憶部１１０に記憶する。
この上で、隊員情報管理部１０２は、ＲＦＩＤ送受信部１４０を介して、当該隊員のＩＣタグ２０−１〜２０−ｎへ、隊員情報２１８を書き込むことができる。
【００２１】
参加隊員登録部１０３は、隊員が所持するＩＣタグ２０−１〜２０−ｎから隊員情報２１８を読み出し入退隊員リスト１１８に追加する部位である。
また、参加隊員登録部１０３は、進入管理隊が備える端末１０−１〜１０−ｍのアドレス等の情報であるホーム端末情報１１６を登録する。
【００２２】
入退情報転送部１０４は、入退情報１１５を含む各種情報を無線送受信部１２０を用いて他の端末１０−１〜１０−ｍへ送受信する部位であり、送信部として機能する。
具体的には、入退情報転送部１０４は、自端末が、進入を検知したＩＣタグ２０−１〜２０−ｎのホーム端末でない場合、入退情報１１５の退出に係る入退情報を無線送受信部１２０を用いてホーム端末のアドレスに転送する。また、入退情報転送部１０４は、自端末が、退出を検知したＩＣタグ２０−１〜２０−ｎのホーム端末でない場合、入退情報１１５の退出に係る入退情報を、無線送受信部１２０を用いてホーム端末のアドレスに転送する。なお、このとき、進入端末へこの退出に係る入退情報を転送するように指示してもよい。
さらに、入退情報転送部１０４は、他端末から自端末をホーム端末とするＩＣタグ２０−１〜２０−ｎの退出に係る情報を受信すると、当該ＩＣタグ２０−１〜２０−ｎが他の端末、すなわち、自端末でなく、且つ、退出に係る入退情報を送信してきた端末ではない別端末から進入している場合には、進入端末である当該別端末にこの退出に係る情報を転送する。
また、入退情報転送部１０４は、ＤＨＣＰサーバ等を備えていてもよく、端末１０−１〜１０−ｍのＩＤやＭＡＣアドレス等を基に、固有のＩＰアドレス等を設定して、後述するホーム端末情報１１６に記憶することもできる。また、入退情報転送部１０４は、公衆ネットワークの場合には、ＤＤＮＳ（Ｄｙｎａｍｉｃ  ＤＮＳ）等を用いて、固有のＵＲＩ／ＵＲＬに係るアドレスを設定することができる。さらに、ＩＰｖ６等により、固有のグローバルＩＰアドレスを用意することもできる。
なお、入退情報転送部１０４は、一方の端末１０−１〜１０−ｍがグローバルＩＰアドレスで、他方の端末１０−１〜１０−ｍがローカルＩＰアドレスのような場合でも、トンネリングやアドレス変換等で対応できる。
【００２３】
入退情報転送部１０４は、ＩＰ網を用いる場合には、ＨＴＴＰ、ＦＴＰ等のプロトコルや、非同期型のメッセージキュー（Ｍｅｓｓａｇｅ  ｑｕｅｕｅ、ＭＱ）等を用いて、他の端末１０−１〜１０−ｍと各種情報を送受信する。
ＨＴＴＰを用いる場合には、入退情報転送部１０４は、例えば、ＳＯＡＰ Ｗｅｂの技術でＷｅｂサーバ＋ブラウザのパターンプロトコルだけ使って、端末１０−１〜１０−ｍをルータや専用アクセスポイントとして用いて、アドホックのネットワーク５を構築することが可能となる。つまり、本実施形態においては、ホーム端末がサーバと同じ役目をすることにより、別途サーバを必要としない。
ＦＴＰの場合は、入退情報転送部１０４は、 ファイル単位で、情報をやり取りすることが可能である。
メッセージキューを用いる場合には、入退情報転送部１０４は、メッセージ単位で情報をやり取りすることができる。
さらに、入退情報転送部１０４は、接続形式として、ＰｔｏＰ（１対１）のプロトコルや、Ｓｅｒｖｅｒ／Ｃｌｉｅｎｔ（１対ｎ）の接続を行うことができる。
加えて、入退情報転送部１０４は、ＳＳＬやＶＰＮ等の暗号化通信を用い、セキュリティに配慮して、他の端末１０−１〜１０−ｍと情報を送受信できる。
【００２４】
また、入退情報転送部１０４は、通信制御ライブラリとして、Ｍｉｃｒｏｓｏｆｔ社製のＷＣＦ（Ｗｉｎｄｏｗｓ（登録商標）  Ｃｏｍｍｕｎｉｃａｔｉｏｎ  Ｆｏｕｎｄａｔｉｏｎ）のように、各種のプロトコルを統括的に利用できるようにしたライブラリを用いて構成することができる。
加えて、入退情報転送部１０４は、各種のモバイルエージェントを用いて、接続が不安定なネットワークを使用するときに、再接続・再送処理を行い、安定した通信を行えるようにすることが好適である。
【００２５】
記憶部１１０は、ＲＡＭ、ＲＯＭ、フラッシュメモリ、ＨＤＤ等の記憶手段である。記憶部１１０は、制御部１００が実行するプログラムやデータを記憶している。
これに加え、記憶部１１０は、各種の設定値や、ＩＣタグ２０−１〜２０−ｎの撮像部２５０（図３）で撮像されたり、録音部２６０で録音された撮像・録音情報２１２を読み出して記憶することもできる。また、記憶部１１０は、ＩＣタグ２０−１〜２０−ｎのセンサ部２７０で取得されたセンサ情報２１３も読み出して記憶する。これらは、現場の状況の分析用に用いることができる。
また、記憶部１１０は、例えば、ＤＶＤやＢｌｕ−ｒａｙ等の光学記憶媒体、ＵＳＢメモリ、ＳＤカード等の脱着可能な記録媒体を含んでいても良い。この脱着可能な記録媒体にも、各種プログラムやデータを記憶して、内蔵の記録媒体へインストール等をすることも可能である。
【００２６】
記憶部１１０は、入退情報１１５、ホーム端末情報１１６、他端末情報１１７、入退隊員リスト１１８を含んで備えている。
【００２７】
入退情報１１５は、ＲＦＩＤ送受信部１４０でＩＣタグ２０−１〜２０−ｎから読み取られた各種情報を基に、入退管理を行うためのデータである。
入退情報１１５は、入退を検知したり管理したりする隊員のＩＣタグ２０−１〜２０−ｎ毎に、例えば表形式でＳＱＬ等を用いて、入退の情報を管理する。この入退の情報としては、進入に係る情報、退出に係る情報、隊員のＩＣタグ２０の識別情報としてのＩＤや氏名、ホーム端末等について記憶する。入退情報１１５は、進入／退出に係る情報としては、例えば、ＩＣタグ２０−１〜２０−ｎを検知した進入端末や退出端末である端末１０−１〜１０−ｍのＩＤやアドレス等の情報を進入／退出の「場所」とし、検知した「時間」を加えて記憶する。
また、入退情報１１５は、「隊員の氏名」としては、例えば、隊員情報２１８のＩＤ等を記憶することができる。
また、入退情報１１５は、「ホーム端末」としては、例えば、検知したＩＣタグ２０−１〜２０−ｎのホーム端末情報１１６を記憶することができる。
【００２８】
ホーム端末情報１１６は、主に自端末である端末１０−１〜１０−ｍのＩＤ、端末名、アドレス等を記憶するデータである。
ホーム端末情報１１６は、「アドレス」として、自営ネットワークを使用する場合のＬＡＮ側のローカルＩＰアドレス、公衆ネットワークを使用する場合のグローバルＩＰアドレス、ＩＰｖ６のＩＰアドレス、固有のＵＲＩ／ＵＲＬ等を記憶することができる。
また、ホーム端末情報１１６は、ＧＰＳの位置座標、地図上の住所、所有する進入管理部隊及びそのユーザ等についての情報等もアドレスに含めて記憶することができる。
【００２９】
他端末情報１１７は、入退情報１１５に記憶された端末１０−１〜１０−ｍの情報等を基に、グループ内や同じ災害現場等で検知できた他の端末１０−１〜１０−ｍのアドレス等を記憶するデータである。
制御部１００は、他端末情報１１７を参照して、他の端末１０−１〜１０−ｍへ入退情報１１５を含むデータを同期し、送受信することができる。
【００３０】
入退隊員リスト１１８は、自端末である端末１０−１〜１０−ｍが入退を管理する、隊員の隊員情報２１８を記憶するデータである。隊員情報２１８の詳細については、後述する。
また、入退隊員リスト１１８は、各隊員情報２１８に結びつけ、当該隊員の勤務状況、疲労度、センサ情報２１３（図３）、撮像・音声情報等２１８（図３）等を記憶してもよい。
【００３１】
この他にも、記憶部１１０には、Ａｎｄｒｏｉｄ（登録商標）やＷｉｎｄｏｗｓ（登録商標）等のＯＳ（Ｏｐｅｒａｔｉｉｎｇ  Ｓｙｓｔｅｍ）や画像／音声処理アプリケーション等を別途備えていてもよい。
【００３２】
無線送受信部１２０は、ネットワーク５に接続するための、アンテナ、ＲＦ（無線通信）手段、デジタル変調手段、Ａ／Ｄ変換手段、Ｄ／Ａ変換手段、パケット符号化手段、暗号化手段等を含む、無線送受信を行う部位である。
無線送受信部１２０は、ネットワーク５を介し、他の端末１０−１〜１０−ｍと、入退情報１１５を含む各種情報を送受信可能である。
【００３３】
入力部１３０は、各種ボタン、キーボード、タッチパネル、タッチパッド、トラックボールやマウス等のポインティングデバイスを含む部位である。
入力部１３０は、端末１０−１〜１０−ｍのユーザからの各種指示を検知して、制御部１００に伝えることができる。
【００３４】
ＲＦＩＤ送受信部１４０は、ＩＣタグ２０−１〜２０−ｎとの間で電磁誘導や電波等で電磁的に情報を送受信するアンテナ、コイル、変調器、復調器等のリーダライタを備えた部位である。
ＲＦＩＤ送受信部１４０は、電磁誘導等で励起されて読み取り可能なパッシブＲＦＩＤや、 電池等の電源を内蔵したアクティブＲＦＩＤ等の読み込み／書き込みを行うことができる。パッシブＲＦＩＤとしては、通信距離数ｃｍ〜数ｍで書籍や物の管理に適しているＨＦ帯のＩＳＯ１５６９３、通信距離数ｃｍで暗号化されＦｅｌｉｃａ（登録商標）やＭｙＦａｒｅ（登録商標）等の電子マネーに用いられるＨＦ帯のＩＳＯ１４４４３、通信距離数ｍで読み取りスピードが速いためベルトコンベア等の動きのあるものの管理に用いられるＵＨＦ帯のＩＳＯ１８０００等を用いることができる。また、アクティブＲＦＩＤとしては、例えば、ＮＴＴコムウェア製のＲＦＩＤを用いることができる。アクティブＲＦＩＤは、通信可能な距離が長く、マラソンの通過管理、小学校などの児童登下校管理に用いられている。このため、一刻一秒を争う災害時の入退管理にも好適である。
なお、ＲＦＩＤ送受信部１４０は、ＩＣタグ２０−１〜２０−ｎのリーダライタを内蔵しても、外付けで接続してもよい。
【００３５】
表示部１５０は、液晶ディスプレイ、有機ＥＬディスプレイ、ＬＥＤ等の表示デバイスである。
表示部１５０は、制御部１００が記憶部１１０に記憶された各種プログラムを用いて、隊員の入退管理を含む各種情報を表示することができる。
また、表示部１５０は、ＩＣタグ２０−１〜２０−ｎで撮像された画像や音声やセンサの値等を表示／音声出力し、ユーザがこれを閲覧することができる。
【００３６】
音声入出力部１６０は、マイク、Ａ／Ｄコンバータ、Ｄ／Ａコンバータ、アンプ、スピーカ、ブザー、振動モータ、音声解析／合成プロセッサ等を含む部位である。
音声入出力部１６０は、マイクからのユーザの音声を音声認識して、制御部１００へ送信することができる。また、制御部１００の制御により、各種音声を出力し、警告ブザーや震動等を出力することもできる。
また、音声入出力部１６０と無線送受信部１２０とを用いて、他の端末１０−２〜１０−ｍとの間で、音声通話を行うことも可能である。
【００３７】
なお、端末１０−１は、ＩＣタグ２０−１〜２０−ｎや他のＰＣ等と直接接続する、シリアル、ＵＳＢ等の端子、有線ＬＡＮインターフェイス等を別途備えていてもよい。
また、端末１０−１は、ＧＰＳ（Ｇｌｏｂａｌ  Ｐｏｓｉｔｉｏｎｉｎｇ  Ｓｙｓｔｅｍ）や、各種センサ等を備えることもできる。
また、端末１０−１は、入退時間等を管理するため、リアルタイム・クロックを備えることもできる。この入退時間については、後述するグループ内のマスターの端末に合わせて、同期可能である。
また、端末１０−１は、バッテリー、燃料電池、発電機、スイッチング電源等を備えていても良い。
【００３８】
〔ＩＣタグ２０−１の構成〕
次に、図３を参照して、同様の構成を備えるＩＣタグ２０−１〜２０−ｎの制御構成について詳しく説明する。ここでは、ＩＣタグ２０−１を代表例として説明する。
ＩＣタグ２０−１は、制御部２００（制御手段）、記憶部２１０（記憶手段）、ＲＦＩＤ送受信部２４０（ＲＦＩＤ送受信手段、読取部、書込部）、撮像部２５０（撮像手段）、録音部２６０（録音手段）、及びセンサ部２７０（センサ）を含んで構成される。
【００３９】
制御部２００は、ＣＰＵ、ＭＰＵ（Ｍｉｃｒｏ  Ｐｒｏｃｅｓｓｉｎｇ  Ｕｎｉｔ）、マイコン、ＧＰＵ等の制御演算部位であり、各部を制御する。
【００４０】
記憶部２１０は、ＲＡＭ、フラッシュメモリ、ＲＯＭ、ＨＤＤ等の記憶部位である。記憶部２１０は、ホーム端末情報１１６、撮像・録音情報２１２、センサ情報２１３、隊員情報２１８を記憶する。
撮像・録音情報２１２は、撮像部２５０で撮像された静止画や動画のデータを、ＪＰＧやＨ．２６４等に符号化された形式で記憶する。また、撮像・録音情報２１２は、録音部２６０で録音した音声データを、ＰＣＭやＭＰ３等の圧縮音声に符号化された形式で記憶する。
センサ情報２１３は、センサ部２７０の各種センサの情報を、例えば所定間隔の時系列形式で記憶する。
隊員情報２１８は、隊員のＩＤ、氏名、隊員個人の所属部隊、ＩＣタグ２０−１〜２０−ｎのＩＤ、その他の属性等が記憶されている。隊員情報２１８は、端末１０−１〜１０−ｍのいずれか、又は他のＰＣやサーバ等（図示せず）で作成し、ＩＣタグ２０−１〜２０−ｎに記憶することができる。
ホーム端末情報１１６は、ＩＣタグ２０−１の入退管理を行うホーム端末である端末１０−１〜１０−ｍのホーム端末情報１１６を記憶している。
これに加えて、記憶部２１０は、固有のＩＤ、暗号鍵、制御プログラム等（図示せず）も記憶している。
【００４１】
ＲＦＩＤ送受信部２４０は、端末１０−１〜１０−ｍのＲＦＩＤ送受信部１４０と無線で各種情報を送受信するための、アンテナ、コイルと制御素子を備える部位である。
ＲＦＩＤ送受信部２４０は、セキュリティに配慮して、暗号化した状態で各種情報を送受信可能である。
【００４２】
撮像部２５０は、ＣＣＤやＣＭＯＳセンサ等の撮像素子と、画像データへのエンコーダ等を備える部位である。撮像部２５０は、災害現場等において、所定期間で又は隊員等の指示により、静止画像や動画像を撮像して、撮像・録音情報２１２に記憶する。
【００４３】
録音部２６０は、マイクとＡ／Ｄコンバータ等を備える録音部位であり、災害現場等において、隊員のメッセージや現場状況等を録音して、撮像・録音情報２１２に記憶することができる。
また、録音部２６０は、撮像部２５０と連携して動画像に音声データを付加することもできる。
【００４４】
センサ部２７０は、センサ情報２１３として、周囲の温度、湿度、ガス、放射線等の危険状況に係る情報、隊員の心拍数や血圧等の身体情報を取得するためのセンサである。
センサ部２７０は、隊員が進入から退出するまで、逐次、所定間隔で各センサの値を取得して、センサ情報２１３に記憶することができる。
【００４５】
なお、ＩＣタグ２０−１〜２０−ｎは、単体で、ＷＡＮ（Ｗｉｄｅ  Ａｒｅａ  Ｎｅｔｗｏｒｋ）経由でインターネット網に接続するように構成することもできる。
また、ＩＣタグ２０−１〜２０−ｎは、端末１０−１〜１０−ｍとの接続、電源状態、撮像や録音の状態を示すためのＬＥＤやＬＣＤ等の表示部を備えていてもよい。
また、ＩＣタグ２０−１〜２０−ｎは、情報の書き込み、撮像、録音等を指示するためのスイッチ等の入力部を備えていてもよい。
また、センサ部２７０は、ＩＣタグ２０−１〜２０−ｎとは別装置としてＩＣタグ２０−１〜２０−ｎに接続されて構成されてもよい。
【００４６】
〔端末１０−１〜１０−ｍによる入退管理処理〕
次に、図４〜図１３を参照して、端末１０−１〜１０−ｍによる入退管理処理について説明する。
本発明の第１の実施の形態に係る入退管理処理では、まず、自端末をホーム端末とするＩＣタグ２０−１〜２０−ｎに、各端末１０−１〜１０−ｍが、隊員の隊員情報２１８とホーム端末情報１１６を登録し、入退管理を行う隊員に所持させる。
この上で、各端末１０−１〜１０−ｍは、隊員が入退するときに、隊員が所持しているＩＣタグ２０−１〜２０−ｎに記録されている隊員情報２１８と、ホーム端末情報１１６とを読み込む。
そして、作戦開始後、各出入り口に配置された端末１０−１〜１０−ｍは、ＩＣタグ２０−１〜２０−ｎを検知した場合、当該ＩＣタグ２０−１〜２０−ｎのホーム端末へ、入退情報１１５を送信する。この際、自端末がホーム端末だった場合は自端末への登録を行うだけで他端末への送信は行わない。
端末１０−１〜１０−ｍは、ホーム端末以外で隊員の進入が行われた場合、次の退出では、以下のように、進入端末にも退出に係るデータ（入退情報）を送信する。
・ホーム端末以外で進入を検知した場合、ホーム端末へ、入退情報１１５の進入に係る情報を送信する。
・進入端末以外で退出を検知した場合、退出端末は、ホーム端末へ、入退情報１１５の退出に係る情報を送信する。ホーム端末は、当該退出に係る情報を受信すると、入退情報１１５に記憶する。この上で、ホーム端末は、進入端末が自端末でなく、且つ、進入端末が退出端末とが同一端末でなければ、進入端末へ当該退出に係る情報を転送する。なお、進入端末が自端末である場合、または、進入端末と退出端末とが同一である場合には、自身への登録を行うだけで他端末への転送は行わない。
このように構成することにより、サーバ等を別途設置しなくても、自端末以外の端末１０−１〜１０−ｍにおいても、進入／退出した隊員の入退の確認が可能となる。また、データ送信の頻度を抑え、省電力化することができる。
以下で、図４のフローチャートを参照して、本発明の第１の実施形態に係る入退管理処理についてステップ毎に詳しく説明する。以下の処理は、端末１０−１〜１０−ｍの制御部１００が、各部と協同し、ハードウェア資源を用いて実行する。
【００４７】
まず、ステップＳ１００において、制御部１００は、隊員情報管理部１０２と参加隊員登録部１０３とを用いて、隊員登録処理を行う。
具体的に図５を参照して説明すると、まず、制御部１００は、隊員情報管理部１０２を用いて、隊員に所持させるためのＩＣタグ２０−１〜２０−ｎの記憶部２１０に、隊員情報２１８を作成して書き込み記憶する。図５の例では、入退管理隊Ａの備える端末１０−１の制御部１００が、隊員Ｎｏ．１の隊員情報２１８を識別情報として作成し、ＩＣタグ２０−１に書き込む例を示している。
【００４８】
また、制御部１００は、当該隊員情報２１８を入退隊員リスト１１８に登録し、入退情報１１５の入退管理する「氏名」等の属性に登録する。
この上で、制御部１００は、隊員の進入拠点となる出入り口の一つの端末１０−１〜１０−ｍをホーム端末として登録する。具体的には、制御部１００は、自端末を指定したホーム端末情報１１６を、当該ＩＣタグ２０−１〜２０−ｎの記憶部２１０に書き込み記憶する。また、制御部１００は、入退情報１１５にも、自端末のホーム端末情報１１６を、記憶する。
図５の例では、制御部１００が、端末１０−１のホーム端末情報１１６として「端末１０−１」をＩＣタグ２０−１の記憶部２１０に記憶する。また、制御部１００が、端末１０−１の隊員Ｎｏ．１の「ホーム端末」属性にも、ホーム端末情報１１６として「端末１０−１」を記憶する。
なお、図５の例では、制御部１００は、他に入退を管理する隊員Ｎｏ．２、Ｎｏ．３……についても、同様に隊員登録処理を行う。
また、ＩＣタグ２０−１〜２０−ｎに隊員情報管理部１０２を作成する際には、端末１０−１〜１０−ｍではなく、他のＰＣ等を用いて事前に行ってもよい。
【００４９】
ステップＳ１０１において、制御部１００は、入退管理部１０１を用いて、入退チェック処理を行う。
図６を参照して説明すると、制御部１００は、読取部としてのＲＦＩＤ送受信部１４０にて、進入／退出する隊員のＩＣタグ２０−１〜２０−ｎを探索する。つまり、制御部１００は、ＲＦＩＤ送受信部１４０により、ＩＣタグ２０−１〜２０−ｎのＲＦＩＤ送受信部２４０を検知する。
制御部１００は、ＩＣタグ２０−１〜２０−ｎを検知して通信可能状態になった場合、当該ＩＣタグ２０−１〜２０−ｎの記憶部２１０に記録されている隊員情報２１８と、ホーム端末情報１１６とを読み込む。
この上で、制御部１００は、入退情報１１５を参照して、当該ＩＣタグ２０−１〜２０−ｎの進入／退出に係る情報を記憶する。この際、制御部１００は、入退情報１１５に、該当する隊員情報２１８の氏名やＩＤがあれば対応する箇所に、なければ新たな箇所に、進入／退出に係る情報を記憶する。また、制御部１００は、当該ＩＣタグ２０−１〜２０−ｎから読み込んだホーム端末情報１１６を参照し、自端末であるか否かも調べる。
図６の例では、端末１０−１の制御部は、設置された出入口に進入した隊員Ｎｏ．１のＩＣタグ２０−１を検知した例を示している。ここでは、制御部１００は、隊員情報２１８と、ホーム端末情報１１６を読み取り、入退情報１１５の進入に係る情報を「時刻１０：００、端末１０−１」として記憶する。
【００５０】
次に、ステップＳ１０２において、制御部１００は、入退管理部１０１を用いて、読み込んだＩＣタグ２０−１〜２０−ｎのホーム端末情報１１６が、自端末であるか否かを判定する。制御部１００は、自端末の場合、Ｙｅｓと判定する。制御部１００は、自端末以外の場合、つまりホーム端末以外のＩＣタグ２０−１〜２０−ｎを検知した場合は、Ｎｏと判定する。
Ｙｅｓの場合、制御部１００は、処理をステップＳ１０４に進める。
Ｎｏの場合、制御部１００は、処理をステップＳ１０３に進める。
【００５１】
ステップＳ１０３において、読み込んだホーム端末情報１１６が自端末でない場合、制御部１００は、入退情報転送部１０４を用いて、ホーム端末転送処理を行う。
制御部１００は、検知したＩＣタグ２０−１〜２０−ｎのホーム端末情報１１６から、当該ＩＣタグ２０−１〜２０−ｎのホーム端末のアドレスを読み出す。この上で、制御部１００は、入退情報１１５を参照し、当該ＩＣタグ２０−１〜２０−ｎの進入／退出に係る情報を、無線送受信部１２０により当該ＩＣタグ２０−１〜２０−ｎのホーム端末に転送する。この際、ネットワーク５にて、複数の端末１０−１〜１０−ｍを経由して、進入／退出に係る情報を転送することもできる。
この進入／退出に係る情報を受信した当該ホーム端末の制御部１００は、入退情報転送部１０４を用いて、入退情報１１５に記憶する。
その後、制御部１００は、処理をステップＳ１０８に進める。
【００５２】
ステップＳ１０４において、読み込んだＩＣタグ２０−１〜２０−ｎのホーム端末情報１１６が自端末の場合、制御部１００は、入退管理部１０１を用いて、退出であったか否かについて判定する。具体的には、制御部１００は、入退情報１１５を参照して、当該ＩＣタグ２０−１〜２０−ｎの進入／退出に係る情報から、退出であった場合には、Ｙｅｓと判定する。それ以外の場合は、Ｎｏと判定する。
Ｙｅｓの場合、制御部１００は、処理をステップＳ１０５に進める。
Ｎｏの場合、制御部１００は、他端末への転送等を行わないので、処理をステップＳ１０８に進める。
【００５３】
ステップＳ１０５において、退出であった場合、制御部１００は、入退管理部１０１を用いて、直近進入場所チェック処理を行う。
具体的には、制御部１００は、入退情報１１５を参照して、当該ＩＣタグ２０−１〜２０−ｎの進入に係る情報から、最も直近に進入した進入端末を検索してチェックする。
【００５４】
次に、ステップＳ１０６において、制御部１００は、入退管理部１０１を用いて、直近に進入したのが自端末であったか否かを判定する。具体的には、上述のステップＳ１０５でチェックした進入端末が自端末であった場合、Ｙｅｓと判定する。それ以外、つまり他端末であった場合は、Ｎｏと判定する。
Ｙｅｓの場合、制御部１００は、他端末への転送を行う必要がないため、処理をステップＳ１０８に進める。
Ｎｏの場合、制御部１００は、処理をステップＳ１０７に進める。
【００５５】
ステップＳ１０７において、進入が他端末であった場合、制御部１００は、入退情報転送部１０４を用いて、進入場所端末転送処理を行う。
具体的には、制御部１００は、入退情報転送部１０４を用いて、当該ＩＣタグ２０−１〜２０−ｎから得た進入端末のアドレス、または、自端末に予め記憶している進入端末のアドレスに、入退情報１１５の退出に係る情報を転送する。
これを受信した進入端末の制御部１００は、入退情報転送部１０４を用いて、当該ＩＣタグ２０−１〜２０−ｎの入退情報１１５に記憶する。これにより、進入端末がホーム端末でない場合であっても、当該進入端末において当該ＩＣタグ２０−１〜２０−ｎの退出を管理することができる。
なお、これらの転送においても、複数の端末１０−１〜１０−ｍを経由させることができる。
【００５６】
上述のステップＳ１０１〜Ｓ１０７までの処理は、入退管理隊のユーザが端末１０−１〜１０−ｍの「作戦開始」〜「作戦終了」を選択するまでの間、当該端末の制御部１００が、他の端末１０−１〜１０−ｍとの間で自動的に実行する。
その後、制御部１００は、処理をステップＳ１０８に進める。
【００５７】
（第１の実施の形態に係るホーム端末転送処理及び進入場所端末転送処理の具体例）
ここで、図７〜図１１を参照し、本発明の第１の実施の形態に係るホーム端末転送処理及び進入場所端末転送処理の具体例について説明する。ここでは、隊員Ｎｏ．１がＩＣタグ２０−１を所持しており、ＩＣタグ２０−１のホーム端末が端末１０−１である例について説明する。
図７は、隊員Ｎｏ．１が、ホーム端末１０−１の設置された出入り口から進入し、ホーム端末１０−１以外の端末１０−２の設置された出入り口から退出した場合の例である。この場合、端末１０−２の制御部１００は、ＩＣタグ２０−１を検知して、入退情報１１５の退出に係る情報を記憶する。そして、端末１０−２の制御部１００は、この退出に係る情報を、ホーム端末転送処理により、ＩＣタグ２０−１のホーム端末である端末１０−１に転送する。
図８は、隊員Ｎｏ．１が、ホーム端末１０−１以外の端末１０−２から進入した例である。この場合も、端末１０−２の制御部１００は、ＩＣタグ２０−１を検知して、入退情報１１５の進入に係る情報を記憶する。そして、端末１０−２の制御部１００は、ホーム端末転送処理により、進入に係る情報を、端末１０−１に転送する。
図９は、図８に示すように隊員Ｎｏ．１が、ホーム端末以外の端末１０−２から進入した後、ホーム端末以外の端末１０−３から退出した例を示す。この場合、端末１０−２の制御部１００は、進入時には図８と同様の処理を行う。そして、退出時には、端末１０−３の制御部１００が、退出に係る情報を、ホーム端末転送処理により、端末１０−１に転送する。そして、ホーム端末である端末１０−１の制御部１００は、この退出に係る情報を受信すると、端末１０−１は入退情報１１５に基づき、進入端末と退出端末とが一致するか否かを判断し、一致しないと判断した場合に、進入場所端末転送処理により、進入端末である端末１０−２へ転送する。
図１０は、図８と同様に、隊員Ｎｏ．１が、ホーム端末以外の端末１０−３から進入した例である。図１０の場合も、まずは、図８と同様に、１０−３の制御部１００が、進入に係る情報を、ホーム端末転送処理により、端末１０−１に転送する。
図１１は、図１０のように、隊員Ｎｏ．１が、ホーム端末以外の端末１０−３から進入し、更にホーム端末である端末１０−１から退出した例である。図１１の場合、まずは図１０と同じ処理を行う。その後、退出を検知した端末１０−１の制御部１００は、入退情報１１５に基づき、進入端末が自端末（すなわち退出端末）と一致するか否かを判断し、一致しないと判断した場合に、この退出に係る情報を、進入場所端末転送処理により、進入端末である端末１０−３に対して転送する。
【００５８】
このように構成することで、ＩＣタグ２０−１〜２０−ｎのホーム端末において、進入／退出に係る情報を管理することができる。
加えて、ＩＣタグ２０−１〜２０−ｎの進入端末においても、他端末で退出したことを確認できる。
この際、ホーム端末以外の退出端末が、入退情報１１５に進入に係る情報を記憶していない場合であっても、これをホーム端末や進入端末から転送しないことで、ネットワーク５への通信量を抑えることができる。
なお、逆に、主にネットワーク５の通信量が少ないときに、他端末情報１１７により、グループ内の端末１０−１〜１０−ｍで入退情報１１５を、完全に同期させることも可能である。
【００５９】
ここで、ステップＳ１０８において、制御部１００は、入退管理部１０１を用いて、入退状況／隊員情報閲覧処理を行う。
図１２と図１３とを参照して説明すると、制御部１００は、表示部１５０に、入退情報１１５を参照して、各隊員の入退状況を表示する。また、制御部１００は、表示部１５０に、隊員情報２１８等を表示して変更／入力させることもできる。この際、制御部１００は、ＧＵＩ等を用いて、入力部１３０からのユーザの指示を検知し、他の部位を呼び出して、各種機能を実現する。
【００６０】
図１２は、制御部１００が表示部１５０に表示した入退状況の画面例である。また、制御部１００は、各隊員の進入／退出に係る入退状況を切り換えて表示することができる。この際、制御部１００は、まだ退出していない隊員を色分けして、もっとも進入時間が早い順に並べて表示することができる。また、制御部１００は、ネットワーク５に接続できない場合には、「１４：００〜同期待ち」のように、いつから同期待ちであるのかについても表示する。この他にも、制御部１００は、本部名、端末名（ＩＤ）、現在時刻等を表示できる。
また、制御部１００は、画面上に「新規作戦」「作戦開始」「作戦終了」「通信」のようなボタンを表示する。制御部１００は、ユーザのこれらのボタンの押下を検知して、それぞれ、隊員登録処理、入退チェック処理の開始、入退管理処理の終了、音声通信や入退情報１１５の他端末との同期に係る処理を実行する。
【００６１】
図１３は、制御部１００が、表示部１５０に表示した入退隊員リスト１１８の画面例である。
制御部１００は、入退隊員リスト１１８に登録した、すなわち自端末で入退を管理している隊員のリストを表示する。この場合にも、制御部１００は、まだ退出していない隊員を、色分けして、進入の早い順に並べて表示することが可能である。また、各ボタンも同様に表示する。
以上により、本発明の第１の実施の形態に係る入退管理処理を終了する。
【００６２】
以上のように構成することで、以下のような効果を得ることができる。
まず、本発明の第１の実施の形態に係る入退管理システムＸは、ＩＣタグ２０−１〜２０−ｎにホーム端末情報１１６を記憶している。このため、どの端末１０−１〜１０−ｍで入退処理を行っても、入退情報１１５を含む情報の転送先が分かる。よって、別途サーバを設置しなくても、端末１０−１〜１０−ｍの間で、入退情報１１５を含むデータを送受信して入退状況を確認することができる。また、事前に端末１０−１〜１０−ｍに、入退情報１１５等の転送先を登録しておく必要がないため、他部隊の端末１０−１〜１０−ｍも、そのまま入退管理に使用することが可能になる。
また、本実施形態の入退管理システムＸは、ＩＣタグ２０−１〜２０−ｎに隊員情報２１８を記憶している。このため、端末１０−１〜１０−ｍに予め隊員の情報を記憶しておく必要がなくなり、端末１０−１〜１０−ｍを用意する数を動的に増減できる。これにより、災害等で状況が変わっても、柔軟に入退管理をすることが可能になる。
これに加えて、本実施形態の入退管理システムＸは、端末１０−１〜１０−ｍで隊員情報２１８をＩＣタグ２０−１〜２０−ｎに記憶することが可能であり、隊員も動的に追加が可能である。
よって、本実施形態の入退管理システムＸは、参加部隊が増えても参加する端末１０−１〜１０−ｍの管理を行って、拡張運用をすることができる。これにより、災害の規模が大きく、多くの消防等の部隊が集まり、到着時刻がまちまちになったような場合でも、確実に端末１０−１〜１０−ｍ同士で入退状況を把握可能になる。
また、本実施形態の入退管理システムＸは、隊員の進入時に、ホーム端末に入退情報１１５の進入に係る情報を記憶／送信し、退出時にはホーム端末と進入端末のみに入退情報１１５の退出に係る情報を送信、転送する構成により、通信データ量を低減することが可能である。
【００６３】
以上説明したように、本発明の第１の実施の形態をまとめると、以下のような特徴を備えている。
本発明の入退管理システムＸは、ＩＣタグ２０−１〜２０−ｎと、端末１０−１〜１０−ｍとを備え、ＩＣタグ２０−１〜２０−ｎは、自身の識別情報と入退管理を行う端末１０−１〜１０−ｍであるホーム端末の情報（アドレスを含むことが好ましい）であるホーム端末情報１１６を記憶し、端末１０−１〜１０−ｍのそれぞれは、ＩＣタグ２０−１〜２０−ｎの識別情報とホーム端末情報１１６を読み取る読取部と、少なくとも識別情報とホーム端末情報１１６を入退情報１１５として記憶する記憶部と、前記読取部が読み取ったホーム端末情報１１６が自端末装置を示すものでなかった場合に、入退情報１１５の進入／退出に係る情報を、ホーム端末送信する送信部とを備えることを特徴とする。
本発明の端末１０−１〜１０−ｍは、ＩＣタグ２０−１〜２０−ｎに、隊員情報２１８を登録する隊員情報管理部１０２を備えることを特徴とする。
本発明の端末１０−１〜１０−ｍは、ＩＣタグ２０−１〜２０−ｎに、端末１０−１〜１０−ｍのアドレスを含むホーム端末情報１１６を登録する参加隊員登録部１０３を備えることを特徴とする。
本発明のＩＣタグ２０−１〜２０−ｎは、入退管理する隊員の隊員情報２１８と、入退管理を行う端末１０−１〜１０−ｍのアドレスを含むホーム端末情報１１６を備えることを特徴とする。
本発明のＩＣタグ２０−１〜２０−ｎは、画像を撮像する撮像部２５０と、音声を記憶する録音部２６０と、熱や温度を含むセンサ２７０とを備え、端末１０−１〜１０−ｍの無線送受信部１２０によりセンサ情報２１３を共有することを特徴とする。
【００６４】
なお、上記実施の形態の構成及び動作は例であって、本発明の趣旨を逸脱しない範囲で適宜変更して実行することができることは言うまでもない。
たとえば、上述した第１の実施の形態では、ＩＣタグ２０を端末１０が検知する際、進入と退出の区別を、ＩＣタグ２０に記憶させた状態情報に基づいて判断してもよいし、検知する際に端末１０において進入か退出を指定するようにしてもよい。なお、ＩＣタグ２０に状態情報を記憶させる際には、初期状態時に端末１０と通信を行うと、進入状態を示す情報を保持し、進入状態時に端末１０と通信を行うと退出状態を示す情報を保持し、退出状態時に端末１０と通信を行うと進入を示す情報を保持するようにすることが考えられる。このＩＣタグ２０の状態情報は、端末１０やＰＣ等から適宜指定して保存したり、変更したりすることが可能であってもよい。
また、上述した実施形態では、ホーム端末情報１１６としてホーム端末のアドレスを保持するように構成したが、本発明はこれに限定されるものではない。たとえば、各端末１０がすてべの端末１０−１〜１０−ｍのアドレス情報を予め保持しておき、ＩＣタグ２０にはホーム端末情報１１６としてホーム端末１０と特定するための情報（例えば、ＩＤ等）のみを記憶させるようにしても良い。これによっても、上述した実施形態と同様に、入退情報１１５の送信、転送処理を行うことができる。
さらに、上述した実施形態では、ＩＣタグ２０がホーム端末以外から進入し、さらに、退出した場合、ホーム端末が当該ＩＣタグ２０の退出に係る情報を退出端末から受信すると、ホーム端末が進入端末と退出端末とが一致するか否かを判断し、一致しない場合に進入端末に退出に係る情報を送信するように構成した。しかし、本発明はこれに限定されるものではなく、ＩＣタグ２０は、進入時に端末１０と通信を行った際に、当該進入端末１０を示す進入時端末装置情報を記憶するように構成し、複数の端末１０のそれぞれは、読取部が退出を検知する際には、ＩＣタグ２０から進入時端末装置情報を読み取り、送信部は、進入端末装置情報が、自端末を示すものではなく、且つ、ホーム端末１０を示すものではない場合には、ホーム端末１０とともに進入時の端末１０に入退情報１１５の退出に係る情報を送信するように構成してもよい。これによっても、上述した実施形態と同様の効果を得ることができる。
【００６５】
＜第２の実施の形態＞
〔入退管理システムＹの構成〕
次に、本発明の第２の実施の形態に係る入退管理システムＹの構成について説明する。入退管理システムＹは、第１の実施の形態に係る入退管理システムＸ（図１参照）と同様に、主にＩＣタグ２０−１〜２０−ｎに代わるＩＣタグ２１−１〜２１−ｎと、端末１０−１〜１０−ｍに代わる端末１１−１〜１１−ｍ（端末装置）とが、ネットワーク５を介して接続されている。
以下では、端末１１−１〜１１−ｍのうち、端末１１−１を代表例として説明する。また、端末１１−１〜１１−ｍを区別しない場合には、単に端末１１ともいう。同様に、ＩＣタグ２１−１〜２１−ｎのうち、ＩＣタグ２１−１を代表例とし、それぞれ区別しない場合には、単にＩＣタグ２１ともいう。
【００６６】
〔端末１１−１、ＩＣタグ２１−１の構成〕
次に、図１４と図１５とを参照して、本発明の第２の実施の形態に係る端末１１−１及びＩＣタグ２１−１の構成について説明する。
図１４と図１５とにおいて、第１の実施の形態に係る端末１０−１（図２参照）、ＩＣタグ２０−１（図３参照）と同じ符号は、同様の機能の構成部位である。
【００６７】
これに加えて、図１４によると、端末１１−１は、制御部３００にログソート転送部１０９（入退情報ソート手段、入退情報同期手段、送信部）を備え、記憶部３１０に入退情報１１９を備えている。
入退情報１１９は、端末１０−１の入退情報１１５（図２）と同様の情報に加えて、後述するＩＣタグ２１−１〜２１−ｎのシーケンス情報２１９のシーケンス番号を含む情報を記憶している。
【００６８】
また、図１５によると、ＩＣタグ２１−１の記憶部４１０には、シーケンス情報２１９を備えている。
シーケンス情報２１９は、進入／退出に係る情報の順番を示すカウンタ等であるシーケンス番号が記憶されている。このシーケンス番号は、進入／退出を記録する際にインクリメント（増加）される。シーケンス情報２１９は、進入／退出に係る情報と一緒に、端末１１−１〜１１−ｍの入退情報１１９に記憶される。
【００６９】
〔端末１１−１〜１１−ｍによる入退管理処理〕
次に、図１６〜図２４を参照して、端末１１−１〜１１−ｍによる入退管理処理について説明する。
本発明の第２の実施の形態に係る入退管理処理では、第１の実施の形態と同様に、隊員情報２１８とホーム端末情報１１６が登録されたＩＣタグ２１−１〜２１−ｎを、各隊員に所持させる。そして、各端末１１−１〜１１−ｍは、隊員が進入／退出するときに、ＩＣタグ２１−１〜２１−ｎを読み取る。この際に、読み取ったＩＣタグ２１−１〜２１−ｎのシーケンス情報２１９のシーケンス番号をインクリメントして記憶させる。また、端末１１−１〜１１−ｍは、状況に応じて、進入／退出に係る情報を他端末へ送信する。この際、ホーム端末では、受信した進入／退出に係る情報のログをシーケンス番号を基にしてソートする。また、通信状態等の問題により進入／退出に係る情報を送受信できなかった場合には、通信が回復した際に、ログを送受信する。
このように、ＩＣタグ２１−１〜２１−ｎで一元管理しているシーケンス情報２１９により、入退情報１１９に記憶された入退管理する各隊員の入退状況をソートして整理することが可能となる。つまり、シーケンス情報２１９を端末間で共有することにより、それぞれの端末で進入／退出に係る情報のログをばらばらに収集したとしても、確実に時系列にソートすることが可能となる。これにより、より適切に入退状況を把握することが可能になる。
【００７０】
ここで、図１６のフローチャートを参照して、本発明の第２の実施の形態に係る入退管理処理について説明する。
ここで、図１６において、ステップＳ２０１は図４の第１の実施の形態に係るステップＳ１０１と、ステップＳ２０３はステップＳ１０２と、ステップＳ２０４はステップＳ１０３と、ステップＳ２０５はステップＳ１０４と、ステップＳ２０６はステップＳ１０５と、ステップＳ２０７はステップＳ１０６と、ステップＳ２０８はステップＳ１０７と、ステップＳ２１０はステップＳ１０９と、それぞれ同様の処理を行う。
以下では本発明の第２の実施の形態に係る入退管理処理で実行するステップについて、詳しく説明する。以下の処理は、端末１１−１〜１１−ｍの制御部３００が、各部と協同し、ハードウェア資源を用いて実行する。
【００７１】
まず、ステップＳ２００において、制御部３００は、隊員情報管理部１０２と参加隊員登録部１０３とを用いて、作戦参加時に、隊員登録／初期化処理を行う。
図１７を参照して説明すると、まず、制御部３００は、図２のステップＳ２０１と同様に、隊員情報管理部１０２を用いて、ＩＣタグ２１−１の記憶部４１０に、隊員情報２１８を作成し、当該隊員情報２１８を入退隊員リスト１１８に登録し、ホーム端末として登録する。
この上で、制御部３００は、シーケンス番号を初期化する。
具体的には、図１７のＩＣタグ２１−１の記憶部４１０のように、シーケンス情報２１９のカウンタ等のデータを、４桁の数値で表現する場合は「００００」のようなシーケンス番号として初期化する。
なお、このシーケンス情報２１９のシーケンス番号は、例えば１６ビット〜３２ビットの整数等を用いることができる。また、シーケンス情報２１９には、シーケンス番号に加えて、日付や時刻と合わせたデータ、日付と時刻のみのデータ、位置情報を含むデータ等とすることもできる。また、このシーケンス情報２１９は、作戦や出動毎に作成されるユニークなＩＤを付加して記憶することもできる。加えて、このシーケンス情報２１９は、毎回「０」に初期化せず、隊員毎の通し番号を付加することもできる。この場合、隊員毎の放射能や特定の化学物質等への累積暴露時間を計算しやすいという効果が得られる。
【００７２】
ここで、ステップＳ２０１において、制御部３００は、第１の実施の形態に係る入退チェック処理と同様の処理を行う。
この際に、隊員の入退を検知した場合、制御部３００は、ＩＣタグ２１−１〜２１−ｎに記録されている隊員情報２１８と、ホーム端末情報１１６とに加え、シーケンス情報２１９を読み込む。
【００７３】
ステップＳ２０２において、制御部３００は、入退管理部１０１を用いて、インクリメント処理を行う。
具体的には、隊員の入退を検知した場合、制御部３００は、ステップＳ２０１で検知したＩＣタグ２１−１〜２１−ｎのシーケンス情報２１９のシーケンス番号を１つ加算するようなインクリメントを行って、シーケンス情報２１９に書き込む。たとえば、上述の例のように、ＩＣタグ２１−１のシーケンス情報２１９のシーケンス番号が「００００」の場合には、制御部３００は、シーケンス番号を「０００１」のように加算する。
また、制御部３００は、シーケンス情報２１９のインクリメントされたシーケンス番号のデータを入退情報１１９に記憶する。
【００７４】
その後、ステップＳ２０３〜ステップＳ２０８までは、第１の実施の形態に係るステップＳ１０２〜ステップＳ１０７と同様の処理を行う。この際に、各端末１１−１〜１１−ｍは、シーケンス番号も含めた進入／退出に係る情報を送受信する。
ここで、ステップＳ２０４のホーム端末転送処理と、ステップＳ２０８の進入場所端末転送処理において、電波状況等で通信障害等があった場合には、制御部３００は、所定間隔で再送信を試みる。この上で、電波状況の変化により通信が回復したときに、制御部３００は、シーケンス情報２１９に記憶されている、まだ転送していない進入／退出に係る情報を、対応する端末１１−１〜１１−ｍとの間で送受信する。
以下で、このシーケンス番号を用いたホーム端末転送処理及び進入場所端末転送処理の具体例について説明する。
【００７５】
（第２の実施の形態に係るホーム端末転送処理及び進入場所端末転送処理の具体例）
ここで、図１８〜図２１を参照して、本発明の第２の実施の形態に係るステップＳ２０４のホーム端末転送処理及びステップＳ２０８の進入場所端末転送処理の具体例について説明する。この処理において、各端末１１−１〜１１−ｍの制御部３００は、第１の実施の形態での処理と同様に、入退情報１１９の進入／退出に係る情報を送受信する。この送受信の際、制御部３００は、シーケンス情報２１９のシーケンス番号の情報等も、進入／退出に係る情報に含めて送受信する。
図１８は、図６と同様に、隊員Ｎｏ．１が、ホーム端末１１−１から進入した際の例である。ここでは、ホーム端末１１−１の制御部３００は、入退情報１１９のシーケンスＮｏ．に、インクリメントされたＩＣタグ２１−１のシーケンス情報２１９に記憶されたシーケンス番号である「０００１」を記憶する。
図１９は、図７と同様に、端末１１−２から退出した場合の例である。この際、端末１１−２の制御部３００は、ＩＣタグ２１−１のシーケンス情報２１９のシーケンス番号を例えば「０００２」にインクリメントして、この値を入退情報１１９の退出に係る情報に加えて記憶する。この上で、端末１１−２の制御部３００は、シーケンス番号を含む退出に係る情報を、ホーム端末転送処理により、ＩＣタグ２１−１のホーム端末である端末１１−１に転送する。
図２０は、図８と同様に、端末１１−２から進入した例である。この場合も、端末１１−２の制御部３００は、ＩＣタグ２１−１のシーケンス情報２１９のシーケンス番号を例えば「０００３」にインクリメントし、これを入退情報１１９の進入に係る情報に加えて記憶する。そして、端末１１−２の制御部３００は、ホーム端末転送処理により、シーケンス番号を含む進入に係る情報を、端末１１−１に転送する。
図２１は、図９と同様に、端末１１−３から退出した例である。この場合、端末１１−２の制御部３００は、ＩＣタグ２１−１のシーケンス情報２１９のシーケンス番号を例えば「０００４」にインクリメントして、この値を入退情報１１９の退出に係る情報に加えて記憶する。この上で、端末１１−３の制御部３００は、シーケンス番号を含む退出に係る情報をホーム端末転送処理により、端末１１−１に転送する。端末１１−１の制御部３００は、この退出に係る情報を受信すると、判断後に進入場所端末転送処理により、端末１１−２へ転送する。
【００７６】
ここで、ステップＳ２０９において、制御部３００は、ログソート転送部１０９を用いて、ログ送受信／ソート処理を行う。
後述するように、各端末１１−１〜１１−ｍの制御部３００は、通信障害等がある場合には、進入場所端末転送処理やホーム端末転送処理を行うことができない。
これに対して、制御部３００は、電波状況の変化等で通信障害が回復した場合、お互いの入退情報１１９のシーケンス番号を基に、進入／退出に係る情報を送受信する。
具体的には、制御部３００は、入退情報１１９から、上述の進入場所端末転送処理やホーム端末転送処理で転送していなかった進入／退出に係る情報を検索し、対応する端末各端末１１−１〜１１−ｍへ転送する。この際、進入／退出に係る情報を受信した各端末１１−１〜１１−ｍの制御部３００は、受信した進入／退出に係る情報のシーケンス番号を基に入退情報１１９をソートし、他の端末１１−１〜１１−ｍへ転送が必要な進入／退出に係る情報があった場合には、転送を行う。つまり、各端末１１−１〜１１−ｍの制御部３００は、ホーム端末や進入端末へ、進入場所端末転送処理やホーム端末転送処理と同様に、必要に応じて進入／退出に係る情報を転送する。
以下で、図２２〜図２４を用いて、このログ送受信／ソート処理の具体例について説明する。
【００７７】
（ログ送受信／ソート処理の具体例）
図２２は、図８と同様の状況で、隊員Ｎｏ．１が端末１１−２から進入した例である。この場合も、端末１１−２の制御部３００は、ＩＣタグ２１−１のシーケンス情報２１９のシーケンス番号を例えば「０００３」にインクリメントし、これを入退情報１１９の進入に係る情報に加えて記憶する。ところが、この例では、電波の状況等により通信不可能な状態であり、端末１１−２の制御部３００は、ホーム端末転送処理を実行することができない。よって、端末１１−２の制御部３００は、シーケンス番号を含む進入に係る情報を、端末１１−１に転送しない。このため、端末１１−１は、図２２の時点では、シーケンス番号「０００３」に係るデータを受信しない。
図２３は、図９と同様に、図２２の後で隊員Ｎｏ．１が端末１１−３から退出した例である。この場合、端末１１−２の制御部３００は、図２１と同様に、「０００４」にインクリメントされたシーケンス番号を含む退出に係る情報をホーム端末転送処理により、端末１１−１に転送する。しかし、この例においても、端末１１−２との間の通信が回復していない。このため、ホーム端末１１−１は、「０００４」の進入端末を検索できないため、進入場所端末転送処理は行わない。
【００７８】
ここで、図２４を参照すると、端末１１−２と端末１１−１間の通信が復活した場合、端末１１−２の制御部３００は、未送信だったシーケンス番号「０００３」に係る進入に係る情報をホーム端末である端末１１−１へ送信する。
端末１１−１の制御部３００は、進入に係る情報を受信すると、入退情報１１９に記憶する。この際、制御部３００は「シーケンスＮｏ．」を参照して、受信した「０００３」に係る進入に係る情報を、「０００２」と「０００４」の間に転送する。
また、端末１１−１の制御部３００は、この「０００３」の進入に係る情報により判明した進入端末１１−２に対して、未送信であった「０００４」の退出に係る情報を端末１１−２へ転送する。
【００７９】
その後、ステップＳ２１０にて、制御部３００は、入退管理部１０１を用いて、入退状況／隊員情報閲覧処理を行う。
この処理において、制御部３００は、ステップＳ１０８（図４）と同様の処理を行うものの、時刻ではなくシーケンス番号でソートされたデータを表示、閲覧させる。
以上により、本発明の第２の実施の形態に係る入退管理処理を終了する。
【００８０】
以上のように構成することで、以下のような効果を得ることができる。
本発明の第２の実施の形態に係る入退管理システムＹは、ＩＣタグ２１−１〜２１−ｎのシーケンス情報２１９のシーケンス番号を用いて、各端末１１−１〜１１−ｍの入退情報１１９を管理する。
つまり、入退管理システムＹは、ＩＣタグ２１−１〜２１−ｎ内にシーケンス情報２１９を備え、進入／退出時にシーケンス番号をインクリメントし、この番号を入退情報１１９に付加する。
これにより、各隊員の進入／退出に係る情報を必ず時系列にソートすることができる。よって、各端末１０−１〜１１−ｍやサーバ等の時計が正確に合っておらず、又は、通信路での遅延や切断があり、各隊員の進入／退出に係る情報を記憶順に送信／受信できなかった場合でも、各隊員の進入／退出を正確に把握することが可能になる。
また、通信が復旧した後に各端末１０−１〜１１−ｍが各隊員の進入／退出に係る情報をばらばらに送受信しても、シーケンス番号により、送受信した情報に抜けがあるかどうかを把握することができる。
【００８１】
以上説明したように、本発明の第２の実施の形態をまとめると、以下のような特徴を備えている。
本発明の第２の実施の形態に係る入退管理システムＹは、入退するときに隊員が所持しているＩＣタグ２１−１〜２１−ｎを端末１１−１〜１１−ｍにて検知すると、ＩＣタグＩＣタグ２１−１〜２１−ｎに記録されている隊員情報２１８と、ホーム端末情報１１６に加えて、シーケンス情報２１９を読み込む。この上で、端末１１−１〜１１−ｍは、シーケンス番号をインクリメントし、ＩＣタグ２１−１〜２１−ｎへ書き戻し記憶する。そして、端末１１−１〜１１−ｍは、ＩＣタグ２１−１〜２１−ｎに記録されているホーム端末へ進入／退出に係る情報を転送する。ホーム端末は、受信した進入／退出に係る情報を、シーケンス番号を基に入退情報をソートする。このように、ＩＣ２１−１〜２１−ｎで一元管理しているシーケンス番号を使用することで、複数の端末１１−１〜１１−ｍ間で進入／退出に係る情報をばらばらに収集したとしても、確実に時系列にソートすることが可能となる。
また、本発明の第２の実施の形態に係る入退管理システムＹは、前記ＲＦＩＤタグが、前記進入／退出に係る情報の順番を示すシーケンス番号を記憶し、前記端末装置の読み取り部は、前記ＲＦＩＤタグから前記シーケンス番号を読み取り、前記シーケンス番号を増加させて前記ＲＦＩＤタグに記憶することを特徴とする。
また、本発明の第２の実施の形態に係る入退管理システムＹは、前記送信部は、受信した前記進入／退出に係る情報のシーケンス番号により入退情報をソートし、未送信の進入／退出に係る情報を前記進入を検知した端末装置又は前記ホーム端末装置に送信することを特徴とする。
【００８２】
なお、ＩＣ２１−１〜２１−ｎにリアルタイム・クロックのような時計を備えて、シーケンス情報２１９に、シーケンス番号の他に、この時計の時刻を記憶して進入／退出を管理することも可能である。これにより、端末１１−１〜１１−ｍ間の時刻のズレを意識する必要がなくなる。
また、このような場合であっても、シーケンス番号を用いれば、進入／退出に係る情報が連続した番号になる。よって、通信障害などで、進入／退出に係る情報が送受信できなかった場合に検出することができる。この際、ＩＣ２１−１〜２１−ｎの時刻のズレは、作戦や出動が終わった後で、端末１１−１〜１１−ｍやサーバ等で読み出して実際の時刻とのズレを修正することができる。また、進入／退出時にＧＰＳや端末１１−１〜１１−ｍや別途タイムサーバ等を用いて、ＩＣタグ２１−１〜２１−ｎの時計の時刻を修正することもできる。
また、上述の実施の形態では、端末１１−１〜１１−ｍの制御部３００がＩＣタグ２１−１〜２１−ｎのシーケンス情報２１９のシーケンス番号をインクリメントするように記載したが、これに限られない。たとえば、ＩＣタグ２１−１〜２１−ｎの制御部２００が入退チェック処理時にシーケンス情報２１９のシーケンス番号をインクリメントするような構成も可能である。
また、隊員が誤って何回も同じゲート等を通過した場合には、制御部２００又は制御部３００は、シーケンス番号をインクリメントしないこともできる。
【符号の説明】
【００８３】
５  ネットワーク
１０−１〜１０−ｍ、１１−１〜１１−ｍ  端末
２０−１〜２０−ｎ、２１−１〜２１−ｎ  ＩＣタグ
１００、２００、３００  制御部
１０１  入退管理部
１０２  隊員情報管理部
１０３  参加隊員登録部
１０４  入退情報転送部
１０９  ログソート転送部
１１０、２１０、３１０、４１０  記憶部
１１５、１１９  入退情報
１１６  ホーム端末情報
１１７  他端末情報
１１８  入退隊員リスト
１２０  無線送受信部
１３０  入力部
１４０、２４０  ＲＦＩＤ送受信部
１５０  表示部
１６０  音声入出力部
２１２  撮像・録音情報
２１３  センサ情報
２１８  隊員情報
２１９  シーケンス情報
２５０  撮像部
２６０  録音部
２７０  センサ部
Ｘ、Ｙ  入退管理システム
【図１】
0005980004.tif 000002
【図２】
0005980004.tif 000003
【図３】
0005980004.tif 000004
【図４】
0005980004.tif 000005
【図５】
0005980004.tif 000006
【図６】
0005980004.tif 000007
【図７】
0005980004.tif 000008
【図８】
0005980004.tif 000009
【図９】
0005980004.tif 000010
【図１０】
0005980004.tif 000011
【図１１】
0005980004.tif 000012
【図１２】
0005980004.tif 000013
【図１３】
0005980004.tif 000014
【図１４】
0005980004.tif 000015
【図１５】
0005980004.tif 000016
【図１６】
0005980004.tif 000017
【図１７】
0005980004.tif 000018
【図１８】
0005980004.tif 000019
【図１９】
0005980004.tif 000020
【図２０】
0005980004.tif 000021
【図２１】
0005980004.tif 000022
【図２２】
0005980004.tif 000023
【図２３】
0005980004.tif 000024
【図２４】
0005980004.tif 000025